Podtech/llm-jp-corpus-v4-ja_patent huggingface dataset:
(57)【要約】【課題】蒸気風呂内に足湯部を設けて併用することにより、両者の効果はもとより、更なる相乗効果を創出させる事による。【解決手段】出入扉と、排水口と、オーバーフロー排水口を設けた密室構造の蒸気風呂内に温泉を導入して足首位置まで充満させ、天井の蒸気発生装置に、温泉を加圧導入して、霧状に放散し、蒸気化させ、各設定温度内で同時稼働させる。【効果】蒸気風呂の利用者は、足湯によって下部からの温度上昇が好条件で得られ、湯治効果が大となる。又、室内の蒸気が高温高密度過ぎないため、視野が広がり、息苦しさや、不安感が無くなるため、幅広い利用が得られる。【選択図】図１
2004008732.tif 000002
【特許請求の範囲】
【請求項１】
出入扉１２と排水口１０を設けた密室構造の蒸気風呂内１に、足首１５程度の位置まで温泉又は、温湯を導入して、オーバーフロー排水口１１の位置まで水位を保つようにして成る、足湯併用蒸気風呂。
【請求項２】
出入扉１２と排水口１０を設けた密室構造の蒸気風呂内１の、底床２は保温性及び、遠赤外線放出性のある石質床２とし、４２度Ｃ前後の温度を保つ様に温泉又は、温湯を常時導入する足湯部７となし、入浴者６が腰掛けられるベンチ５を備えている、足湯併用蒸気風呂。
【請求項３】
出入扉１２と排水口１０を設けた密室構造の蒸気風呂内１の、底床２は保温性及び、遠赤外線放出性のある石質床２とし、４２度Ｃ前後の温度を保つ様に温泉又は、温湯を常時導入する足湯部７となし、入浴者６が腰掛けられるベンチ５を備え、且つ室内の天井には、加圧された５０度Ｃ前後の温泉又は、温湯を常時、霧状９の如くに、放散させる蒸気発生装置４を設けて、室温を３０度Ｃから５０度Ｃに保つ、足湯併用蒸気風呂。
【発明の詳細な説明】
【０００１】
【発明の属する技術分野】
本発明は、蒸気風呂内に足湯を設けて同時併用する浴場に関する。
【０００２】
【従来の技術】
従来の蒸気風呂は、室内に充満する蒸気が高温多量のため、室内の視界が悪く、息苦しく、不安感が生じて、効果を得るまで特に、病弱者、老人、子供などは在室出来なかった。又、足湯についても、室外で着衣のまま足部だけ温めるので、入浴環境や温度差に著しい不調和が生じて、中途半端な効果しか得られなかった。
【０００３】
【発明が解決しようとする課題】
本発明は、室外で着衣のまま行う足湯効果より、体温が均一に上昇し、皮膚、筋肉、関節が柔軟となり、身体諸噐管が、活性化する蒸気風呂と併用することによる相乗効果を創出させることにある。
【０００４】
【課題を解決する為の手段】
上記の目的を達成するために、つぎの手段をとる事にした。
【０００５】
出入扉１２と排水口１０を設けた密室構造の蒸気風呂内１に、足首１５程度の位置まで温泉又は、温湯を導入して、オーバーフロー排水口１１の位置まで水位を保つようにした、請求項１、に記載された解決手段。
【０００６】
前項の蒸気風呂内１の底床２は保温性及び、遠赤外線放出性の良い石質床２とし、４２度Ｃ前後になるように温泉又は、温湯を常時導入する足湯部７となし、入浴者６が腰掛けられるベンチ５を備えている、請求項１、及び、請求項２、に記載された解決手段。
【０００７】
前項及び、前々項の蒸気風呂内の天井には、加圧された、５０度Ｃ前後の温泉又は、温湯を常時、霧状９の如くに、放散させる蒸気発生装置４を設けて、室温を３０度Ｃから５０度Ｃの間に保つ、請求項１、及び請求項２、及び請求項３、に記載された手段によって解決した。
【０００８】
【発明の実施の形態】
以下本発明の実施の形態を図面によって説明する。
【０００９】
図１は本発明の室内の側面図である。図１に示した如く、温泉、又は温湯を、導入口３から、排水口１０、オーバーフロー排水口１１、と出入扉１２を備えた、密室構造の蒸気風呂１内の床２の上に流入し、オーバーフロー排水口１１、のレベルまで常時充満させた足湯部７を作り、入浴者６が座れるベンチ５を設け、天井に霧状９を放散させ蒸気化する、ノズル８を付けた蒸気発生装置４を備えて、温泉導入管３、４にそれぞれ取り付けられた、湯量調節栓１３、１４を開いて稼働させる状態を示す。
【００１０】
【作用】
図１において、排水口１０を閉ざした蒸気風呂１の中に足部湯７を充たす温泉を、調節栓１３を開いて流入させ、同様に蒸気化する霧状９を放散させる、蒸気調節栓１４を開いて、室内にノズル８から所定の蒸気と室温を得るための温泉を、加圧噴射させる。やがて足湯部７の温泉は、オーバーフロー排水口１１まで達して、床２を温め、同時に霧状９は、出入扉１２を閉ざした室内１を所定の温度に上昇させ、蒸気を充たして入浴者６を迎える準備が完了する。
【００１１】
【発明の効果】
本発明は、従来行われている、足湯効果と、蒸気風呂の効果に加えて、二者併用による、以下の相乗効果が創出される。裸で入湯するので、足湯の欠点であった身体との温度差が少なくなる為、足部より身体上部へと速やかに加温されていき、天井からの噴出して生じる、霧状に微細化された温湯は、過飽和蒸気になり、室内をマイナスイオン化させ、温泉成分も微細化して、入浴者の皮膚や、口腔、気孔内に容易に侵入して行き、関節機能、呼吸機能、皮膚粘膜の細胞などの自己回復力を啓発刺激し、新陳代謝を活発化し、健康を回復維持し、病気にかかりにくい体質を作る。又、本発明は、従来の蒸気風呂に見られる蒸気が高温、高密度の暗室のような室内と異なり、体温に近く、ハーブ類の加香、加臭も自然に伝わり、明るい視野で圧迫感も無いため、病弱者、老人、子供などの不安が一掃される特徴をも持っている。
【００１２】
【図面の簡単な説明】
【図１】本発明の足湯併用蒸気風呂の室内側面図。
【符号の説明】
１　蒸気風呂
２　床
３　温泉導入管
４　蒸気発生装置
５　ベンチ
６　入浴者
７　足湯部
８　ノズル
９　蒸気化する霧状温泉、温湯
１０　排水口
１１　オーバーフロー排水口
１２　出入扉
１３　温泉調節栓
１４　蒸気調節栓
１５　入浴者の足首位置
【図１】
2004008732.tif 000003
(57)【要約】【課題】本発明は、つる部に溝を介し０リングを設けることにより、耳への係合を確実にすることを目的とする。【解決手段】本発明によるアイマスクは、つる部（５，６）の後部に設けて、１個又は複数の溝（７、８）の一方又は両方に０リング（９）を設け、耳へのつる部（５、６）の装着を確実にする構成である。【選択図】　　　　図１
2004008736.tif 000002
【特許請求の範囲】
【請求項１】
連結部（１）によって接続され複数の小孔（２）を有する第１、第２眼マスク部（３、４）と、前記第１、第２眼マスク部（３、４）に各々接続されたつる部（５、６）とよりなるアイマスクにおいて、前記各つる部（５、６）の後部（５ａ、６ａ）に形成された１個又は２個の溝（７、８）と、前記各溝（７、８）の一方又は両方に設けられた０リング（９）とを備えたことを特徴とするアイマスク。
【発明の詳細な説明】
【０００１】
【発明の属する技術分野】
本発明は、アイマスクに関し、特に、各つるの後部に設けた溝に０リングを設けることにより、アイマスクの装着を確実に保持できるようにするための新規な改良に関する。
【０００２】
【従来の技術】
従来、用いられていたこの種のアイマスクとしては、つる部に何らの係合手段は形成されていなかった。
【０００３】
【発明が解決しようとする課題】
従来のアイマスクは、以上のように構成されていたため、次のような課題が存在していた。
すなわち、つる部の後部の表面には何らの係合手段がないため、摩擦がほとんどなく、アイマスクを耳にかけて使用している際に、汗等によってつる部が前方へずれたりすることがあり、装着姿勢を保持することが困難であった。
【０００４】
本発明は、以上のような課題を解決するためになされたもので、特に、各つるの後部に設けた溝に０リングを設けることにより、アイマスクの装着を確実に保持できるようにしたアイマスクを提供することを目的とする。
【０００５】
【課題を解決するための手段】
本発明によるアイマスクは、連結部によって接続され複数の小孔を有する第１、第２眼マスク部と、前記第１、第２マスク部に各々接続されたつる部とよりなるアイマスクにおいて、前記各つる部の後部に形成された１個又は２個の溝と、前記各溝の一方又は両方に設けられた０リングとを備えた構成である。
【０００６】
【発明の実施の形態】
以下、図面と共に、本発明によるアイマスクの好適な実施の形態について説明する。
図１において符号１で示されるものは複数の小孔２を有する第１、第２眼マスク部３、４を連結するための連結部であり、この各眼マスク部３、４には各々つる部５、６が接続されている。
【０００７】
前記各つる部５、６の後部５ａ、６ａには、複数（又は１個でも可）の溝７、８が設けられており、各溝７、８の一方又は両方には０リング９が設けられている。
すなわち、男用の場合には後側の溝８に０リング９を設け、女用の場合には前側の溝７に０リング９を設けると、耳の後に０リングが位置し、顔に装着した場合に、アイマスクが耳に確実に係合し、ずれたりはずれたりを防止することができる。
【０００８】
【発明の効果】
本発明によるアイマスクは、以上のように構成されているため、次のような効果を得ることができる。
すなわち、つる部の後部に溝を介して０リングが設けられているため、耳の後に係合し、耳に対する装着性が向上し、はずれ等を確実に防止することができる。
【図面の簡単な説明】
【図１】本発明によるアイマスクを示す斜視図である。
【図２】図１の要部の拡大斜視図である。
【符号の説明】
１　　　　連結部
２　　　　小孔
３　　　　第１眼マスク部
４　　　　第２眼マスク部
５、６　　つる部
７、８　　溝
９　　　　０リング
【図１】
2004008736.tif 000003
【図２】
2004008736.tif 000004
(57)【要約】　　　（修正有）【課題】寝たきり老人や、病人等の排便時に有効な排泄物処理装置を提供すること。従来技術で使用されていた、真空吸引による排泄物の処理は、真空装置による回転音、吸引音の発生が騒音として、使用者に不快感を与えた事。又真空装置を使用するため、排気が必要であり、排気とともに臭気も拡散するため、周囲環境に好ましくない。【解決手段】真空吸引方式を圧送循環方式とし、騒音の低減を図った。又排泄物を移送する液体をオイルとして、水との介在により、排泄物を沈殿分離する事を可能とした。オイルを循環して使用できるため装置として密閉構造が可能となり、臭気の外部への拡散等、使用者或いは周囲に対して不快感を及ぼさない排泄物処理が可能となった。【選択図】　　　　　図１
2004008735.tif 000002
【特許請求の範囲】
【請求項１】
排泄物受け部と分離タンク及び循環装置をそなえ、これらが移送用パイプで連結され、循環液を循環させる事で排泄物を処理する排泄物処理装置に於いて、循環液として人体に無害なオイルを使用し、排泄物を含んだオイルを分離タンク内で、排泄物のみを水部に沈殿させ分離した上で、オイルを繰り返し循環させる事を特徴とする排泄物処理装置。
【請求項２】
循環装置が圧送方式である事を特徴とする請求項１．の排泄物処理装置。
【請求項３】
オイルを常に循環させて、密閉式とする事を特徴とする請求項１．の排泄物処理装置。
【発明の詳細な説明】
【０００１】
「発明の属する技術分野」
本発明は、寝たきり老人や病人等の排便時に有効な排泄物処理装置に関するものである。
【０００２】
「従来の技術」
従来より例えば寝たきり老人や病床に臥している病人等の排泄物処理装置は特開平７−２４０１７号、特開２００１−２１８７８３号などに記載されている如く人体に尿や便を受けるカップを装着し、パイプを通して排泄物をタンク内に真空吸引する事で処理する方法などが考えられている。
【０００３】
「発明が解決しようとする課題」
前記記載の従来の装置では寝たきり老人や病人にとっては、心理的な不快感や、環境の配慮に欠ける点が見受けられる。
すなわち、排泄物の移送を真空による吸引を行うため真空ポンプ等の使用が不可欠であり、装置から発生する回転音、吸引音、等は使用する本人にとっては大きな騒音となり不快感を感じる事となる。
【０００４】
又、真空吸引の場合、当然排気を行わねばならず、排泄物の臭気とともに装置外へ排気されるため、使用者本人だけでなく、装置周囲の人にたいしても不快感を与えるものである。
【０００５】
更には、人体に装着した尿や便を受けるカップ内が真空になるため、強く人体に吸い付き、使用者が痛みを感じることもあるし、長時間或いは頻繁に使用した場合、皮膚の鬱血などを起こす事も懸念される。
本発明は上記従来装置の問題点を解決し、使用者本人、及び周囲環境にも考慮し、不快感を感じる事無く使用できる排泄物処理装置である。
【０００６】
「課題を解決する手段」
本発明は前記課題を解決する装置であり、その特徴は真空吸引を使用しない圧送循環装置でオイルを循環させておき、排泄物をオイルに取り込み、
その流れにより分離タンクに移送する。分離タンク内ではオイル中の排泄物を沈殿分離し、オイルを循環させ使用できるようにした排泄物処理装置である。
【０００７】
排泄物受け部で受けた排泄物を移送パイプを循環するオイルと一緒に分離タンク内に移送し、タンク内に貯蔵されている水部分に吐出させる。
この状態でオイルは水の上層に滞留し、中の排泄物は水部分に沈降させるものである。タンク内で排泄物を分離したオイルは、再度オイルを移送パイプ、圧送循環装置を使用して、循環させて使用する。
【０００８】
これにより通常は完全にクローズした状態で使用する事が出来るので、臭気が外部に漏れることなく臭気の問題も発生しない。
【０００９】
又、真空吸引を使用しない事で、カップの人体への吸着を心配する必要はなく、便受け部としては、パイプ構造の採取口を局部に挿入しておく事で良い。使用者が吸着による痛みを感ずることも解消できるものである。
【００１０】
「発明の実施形態」
以下、本発明の実施形態を添付図面により、詳細に説明する。
【００１１】
図１．は本発明の排泄物処理装置の１実施例を示す図であり、１．排泄物受け部は人体に挿入して、便などの排泄物を処理装置に取り込む部分である。プラスチックの筒状の管体で、内部には排泄物の流れをよくするために回転羽根を取り付けても良い。
【００１２】
この筒体には２．移送パイプが接続されており、１．排泄物受け部の局部に近い側に、６．圧送循環装置より移送されてきた３．オイルが送り込ま
2004008735.tif 000003
れた方向に循環している。
オイルは局部より排泄された排泄物を１．排泄物受け部で取り込み、局部と逆側の２．移送パイプから送り出される。
【００１３】
排泄物の混ざったオイルは２．移送パイプにより移送され４．分離タンクに投入される。４．分離タンクの内部には適量の５．水が貯蔵されており、排泄物の混ざったオイルはこの５．水の部分に吐出され、オイルのみが、水の上に分離して貯蔵される状態となる。
【００１４】
この状態で貯蔵中に４．オイル中の排泄物は、下層の５．水に沈殿し、排泄物は除去される。上澄み状態となったオイルは再度移送ポンプを通じて圧送循環装置に移送され、循環使用される。またタンク中の水は排泄物の量により必要に応じて取り替え使用する。
【００１５】
この循環処理装置に用いる圧送循環装置は、液体用のものでピストン式、
ロータリー式、管圧縮式などが使用可能である。圧送循環装置は排泄物処理装置内を比較的ゆっくりしたオイルの流れを継続して発生させるような装置であればよい。騒音などの原因になる為、必要以上の強力な装置は避けれべきである。
【００１６】
使用するオイルは当然人体に無害のものを使用する必要があり、肌、等に良い植物性オイルが好ましく、場合によりオイル中に肌等、人体に有益な効果のある薬品を混入させておく事もできる。
【００１７】
「発明の効果」
本発明は上記の構成により、老人、病人など長期間床に臥し、排泄物の処理をするのに不自由な人のために、密閉された装置内で処理を行い、騒音、臭気、などの不快感を与える事のない、、排泄物処理装置である。
【００１８】
オイル中に人体に有効な薬品等を添加することも可能で、身体を清浄に保つ事等にも有効である。
【００１９】
又分離タンク内のオイルを適温に加温する事により、身体に冷却感を持たせる事無く、処理を行う事も可能である。循環式である為に加温に要する、消費電気、あるいはその他省エネルギーに対しても有効である。
【図面の簡単な説明】
【図１】本発明の装置の模式関連図である。
１．排泄物受け部
２．移送パイプ
３．オイル
４．分離タンク
５．水
６．圧送循環装置
2004008735.tif 000004
【図１】
2004008735.tif 000005
(57)【要約】【課題】高齢社会を向かえる我が国において、歯周病を含む歯に関する病は深刻なものであり、おいしくものを食べられない、入れ歯になるといった個人的な問題だけでなく、歯周病から脳血栓や動脈硬化を引き起こすこともあることから、増え続ける医療費の問題となって国の財政にも大きく影響を与えている。【解決手段】トルマリン鉱石とリチア鉱石とガーネットと炭とモナズ石とシリカとアルミナとカリウムの少なくとも一種類以上の粒子、もしくはそれらの複合体の粒子を連続発泡体によって均一に包み込み、歯茎に対して適度な硬度と大きさを持たせ、柄の先につけて使用する。もしくは指サック状に加工して、指に装着して使用する。【選択図】図２
2004008766.tif 000002
【特許請求の範囲】
【請求項１】
マイナスイオンを発生する別名電気石と呼ばれるトルマリン鉱石の粒子とリチア鉱石の粒子とガーネットの粒子と炭の粒子とモナズ石の粒子とシリカの粒子とアルミナの粒子とカリウムの粒子のいずれか一つ以上もしくはそれらの複合体の粒子を均一に含む発泡体構造による歯茎マッサージ用材料。
【請求項２】
マイナスイオンを発生する別名電気石と呼ばれるトルマリン鉱石の粒子とリチア鉱石の粒子とガーネットの粒子と炭の粒子とモナズ石の粒子とシリカの粒子とアルミナの粒子とカリウムの粒子のいずれか一つ以上もしくはそれらの複合体の粒子を均一に含む
シリコンとゴムどちらか一つ以上による連続した発泡体構造からなる歯茎マッサージ用材料。
【請求項３】
請求項１もしくは請求項２を柄の先につけ、口腔に挿入し、動かしやすくした歯茎マッサージ器具。
【請求項４】
請求項１もしくは請求項２を指サック状にして、口腔に挿入し、動かしやすくした歯茎マッサージ器具。
【発明の詳細な説明】
【０００１】本発明は、トルマリン鉱石とリチア鉱石とガーネットと炭とモナズ石とシリカとアルミナとカリウムおよびそれらの複合物にショックを与える
とマイナスイオンを発生させることが知られている事を利用し、トルマリン鉱石の粒子とリチア鉱石の粒子とガーネットの粒子と炭の粒子とモナズ石の粒子とシリカの粒子とアルミナの粒子とカリウムの粒子のいずれか一つ以上もしくはそれらの複合体の粒子を均一に含む発泡体構造による歯茎マッサージ用材料と器具を提供する。
【０００２】連続した発泡体でトルマリン粒子を均一に包み込むことにより、表面積が増えてマイナスイオン粒子がより沢山の酸素に触れる機会を増やし、マイナスイオンの発生頻度を増大させた歯茎マッサージ用材料と器具を提供する。
【０００３】シリコンもしくはゴムによる連続した発泡体構造をした材料を用いることにより、水分或いは水溶性歯磨き粉の吸着性に優れた歯茎マッサージ用材料と器具を提供する。
【０００４】マイナスイオンの効果として血行促進を促す遠赤外線機能と除菌・消臭効果のある抗酸化機能を有すると同時にマッサージ効果によって歯茎の血行をよくする歯茎マッサージ用材料と器具を提供する。
【０００５】シリコンまたはゴムによる連続発泡体をスポンジ状にすることで適度な硬度を持たせ、歯茎との摩擦で生じる刺激によっても歯茎を痛めずにマッサージできる歯茎マッサージ用材料と器具を提供する。
【発明の属する技術分野】
【０００６】本発明は、歯茎をマッサージする材料と器具に関するものである。
【従来の技術】
【０００７】歯茎をマッサージする物としては、ゴムによるブラシからコンニャクマンナンを利用したものやクリームやスクラブ剤や磁石による磁気イオン歯ブラシやローラータイプのものなどがあった。
【発明が解決しようとする課題】
【０００８】歯周病は、高齢社会を向かえる我が国にとって万人の病であり、その予防は増大する医療費を軽減するばかりか、健康的な食環境を全ての老後を向かえる人々に提供するものである。
【０００９】従来の歯茎マッサージ器具は、口腔内の健康を目指す一方で器具自体の清潔までは考えられていなかった。
【課題を解決するための手段】
【００１０】マイナスイオンを発生する別名電気石と呼ばれるトルマリン鉱石の粒子とリチア鉱石の粒子とガーネットの粒子と炭の粒子とモナズ石の粒子とシリカの粒子とアルミナの粒子とカリウムの粒子のいずれか一つ以上もしくはそれらの複合体の粒子を均一に含む連続発泡体構造による歯茎マッサージ用材料と器具を提供する。
【発明の実施の形態】
【００１１】トルマリン鉱石とリチア鉱石とガーネットと炭とモナズ石とシリカとアルミナとカリウムの少なくとも一種類以上の粒子、もしくはそれらの複合体の粒子を均一に包み込んだ連続発泡体をかまぼこ状にして柄の先に着け、口腔内に入れやすく、動かしやすくしたもの。
【００１２】トルマリン鉱石とリチア鉱石とガーネットと炭とモナズ石とシリカとアルミナとカリウムの少なくとも一種類以上の粒子、もしくはそれらの複合体の粒子を均一に包み込んだ連続発泡体を表面が波をうっているかまぼこ状にして柄の先に着け、口腔内に入れやすく、動かしやすくしたもの。
【００１３】トルマリン鉱石とリチア鉱石とガーネットと炭とモナズ石とシリカとアルミナとカリウムの少なくとも一種類以上の粒子、もしくはそれらの複合体の粒子を均一に包み込んだ連続発泡体を円錐状もしくは多角錐状にして柄の先に着け、歯と歯の間の歯茎をマッサージしやすくしたもの。
【００１４】トルマリン鉱石とリチア鉱石とガーネットと炭とモナズ石とシリカとアルミナとカリウムの少なくとも一種類以上の粒子、もしくはそれらの複合体の粒子を均一に包み込んだ連続発泡体を指サック状にして、指に装着し、歯茎全体をマッサージしやすくしたもの。
【実施例】
【００１５】第１図は、連続発泡体をかまぼこ状にして柄の先につけた図である。
【００１６】第２図は、連続発泡体を四角錐状にして柄の先につけた図である。
【００１７】第３図は、連続発泡体を指サック状にした図である。
【発明の効果】
【００１８】本発明によって健康な歯と歯茎を保ち、高齢になっても自らの歯で食事が出来る人々を増加させる。
【図面の簡単な説明】
【第１図】本発明の材料の構造概念図
【第２図】本発明の材料をかまぼこ状のものを柄の先につけた図
【第３図】本発明の材料を四角錐状のものを柄の先につけた図
【第４図】指サックの先にトルマリン鉱石粒子を含む連続発泡体をつけた図
【符号の説明】
Ａ：連続発泡体
Ｂ：発泡
Ｃ：トルマリン鉱石粒子
Ｄ：カマボコ状に加工したトルマリン鉱石粒子を含む連続発泡体
Ｅ：柄
Ｆ：四角錐状に加工したトルマリン鉱石粒子を含む連続発泡体
Ｇ：トルマリン鉱石粒子を含む連続発泡体
【図１】
2004008766.tif 000003
【図２】
2004008766.tif 000004
【図３】
2004008766.tif 000005
【図４】
2004008766.tif 000006
(57)【要約】【課題】本発明は、自宅や老人ポームなどにリハビリを行う者の体をネットワーク経由で遠隔的に動かすような操作環境を造るために、理学療法士に操作させることを目的として高齢者や障害者や患者などの上下肢運動特性を再現する装置を提供するものである。【解決手段】本発明は、多関節多リンク機構と回転台と音声画像通信器及び制御装置を可移動基台に装着することを特徴とする遠隔リハビリ用上下肢運動模擬装置である。【選択図】図１
2004008745.tif 000002
【特許請求の範囲】
【請求項１】
手や足の関節の運動機能を再現する機構と、肘や膝の関節の運動機能を再現する機構と、肩や股の関節の運動機能を再現する機構とを回転台に取付ける多関節多リンク機構を備えることを特徴とする遠隔リハビリ用上下肢運動模擬装置。
【請求項２】
前記多関節多リンク機構と、制御装置と、可移動基台とを備えることを特徴とする請求項１に記載の遠隔リハビリ用上下肢運動模擬装置。
【請求項３】
デジタルカメラと画面表示器とスピーカとマイクとを設けたことを特徴とする請求項１に記載の遠隔リハビリ用上下肢運動模擬装置。
【請求項４】
理学療法士の前記多関節多リンク機構を操作する動作に関する位置信号と力信号とを保存し、高齢者や障害者や患者など（以下、受訓者という。）の自宅に設置されるリハビリアシスト装置へ送信する手段を備えることを特徴とする請求項１から請求項３までのいずれかに記載の遠隔リハビリ用上下肢運動模擬装置。
【請求項５】
理学療法士の前記多関節多リンク機構を操作する状態に関する画像データと、前記理学療法士からの指示や注意などに関する音声データとを送信する手段を備えることを特徴とする請求項１から請求項３までに記載の遠隔リハビリ用上下肢運動模擬装置。
【請求項６】
受訓者の訓練状態に関する画像データと、前記受訓者からの質問や要求などに関する音声データを受信する手段を備えることを特徴とする請求項１から請求項３までに記載の遠隔リハビリ用上下肢運動模擬装置
【請求項７】
リハビリ時受訓者の体に異常が生じた場合、前記異常情報を表示し理学療法士の注意を喚起することを特徴とする請求項１から請求項３までに記載の遠隔リハビリ用上下肢運動模擬装置。
【請求項８】
理学療法士が前記多関節多リンク機構を操作し、受訓者の上肢に対して遠隔リハビリを行うことを特徴とする請求項１から請求項３までに記載の遠隔リハビリ用上下肢運動模擬装置。
【発明の詳細な説明】
【０００１】
【発明の属する技術分野】この発明は、自宅や老人ポームなどにリハビリを行う者に対してネットワーク経由で遠隔的な操作指導を実施するような遠隔リハビリ支援を行うために、理学療法士に操作させることを目的として高齢者や障害者や患者などの上下肢運動特性を再現する装置に関するものである。なお、本明細書では、リハビリを行う高齢者や障害者や患者などを「受訓者」という。自宅や老人ホームなどにリハビリを行うことを「在宅リハビリ」という。
【０００２】
【従来の技術】リハビリ支援に関しては、主に以下のような２種類の従来技術がある。
１）理学療法士の体力負担の軽減と理学療法士不足問題の緩和を目的とするアシスト装置である。通常、それはリハビリテーションセンターに設置される。２）患者の通所・通院負担の軽減と在宅リハビリの促進を目的とするアシスト
装置である。それは、主に受訓者の自宅に設置される。
【０００３】これらの研究は、理学療法士をすべて置き換え代行するという自律型リハビリアシスト装置の開発を目指している。このようなリハビリアシスト装置は理学療法士不足の問題の解決や理学療法士の体力負担の緩和に役立つことを期待することができるが、その反面、理学療法士の不在による受訓者の不安感が生じる。また、知能の面にも多数の課題が残っている。
【０００４】
【発明が解決しようとする課題】従来のリハビリ支援装置では、次のような欠点があった。
１）リハビリ支援装置が病院に設置された場合、通所・通院による受訓者の体
力と経済面の負担が大きいという問題が残されている。
２）リハビリ支援装置が自宅に設置された場合、理学療法士の不在による受訓
者の不安感が生じる。
【０００５】本発明は、理学療法士がネットワーク経由で受訓者の体を遠隔的に動かすような操作環境を造るために、理学療法士に操作させることを目的として高齢者や障害者や患者などの上下肢運動特性を再現する装置を提供するものである。
【０００６】
【課題を解決するための手段】以上の課題を解決するために、本発明は、多関節多リンク機構と回転台と音声画像通信器及び制御装置を可移動基台に装着することを特徴とする遠隔リハビリ用上下肢運動模擬装置である。
【０００７】
【発明の実施の形態】図１は本発明の構造図である。図１に示すように、手や足の関節の運動機能を再現する機構−−先端関節と、肘や膝の関節の運動機能を再現する機構−−中間関節と、肩や股の関節の運動機能を再現する機構−−根元関節から構成される多関節多リンク機構を回転台に取付ける。さらに、この多関節多リンク機構、デジタルカメラと画面表示器とスピーカとマイクとからなる音声画像通信器、および制御装置を、可移動基台に装着する。本発明は受訓者の上下肢運動特性を再現するので、理学療法士は受訓者の上肢を直接に操作するような操作感を感じることができる。
【０００８】図２は本発明の第１の実施例−−上肢肘関節リハビリを示す。理学療法士は上下肢運動模擬装置を仮上肢として操作する。その動作はネットワークを経由し、受訓者側自宅に設置される上肢リハビリアシスト装置に再現される。再現された動作に従って、上肢リハビリアシスト装置は受訓者に適切な力をかけてその肘関節を強制的に動かす。
【０００９】図３は本発明の第２の実施例−−下肢膝関節リハビリを示す。操作指導端末側の理学療法士は上下肢運動模擬装置を仮下肢として操作する。その動作はネットワークを経由し、受訓者側自宅に設置される下肢リハビリアシスト装置に再現される。再現された動作に従って、下肢リハビリアシスト装置は受訓者に適切な力をかけてその肘関節を強制的に動かす。
【００１０】
【発明の効果】本発明は、以下の効果がある。
１）理学療法士不在による在宅受訓者の不安を解除する。その在宅リハビリテー
ジョンを正確かつ継続的に行わせる。
２）理学療法士の体力負担を軽減する。
【図面の簡単な説明】
【図１】本発明の構成図である。
【図２】本発明の第１の実用例−−上肢肘関節リハビリを示す図である。
【図３】本発明の第２の実用例−−下肢膝関節リハビリを示す図である。
【符号の説明】
１…デジタルカメラ
２…画面表示器
３…スピーカ
４…マイク
５…ハンド
６…先端関節
７…前アーム
８…中間関節Ｉ
９…中間関節ＩＩ
１０…上アーム
１１…根元関節Ｉ
１２…根元関節ＩＩ
１３…根元関節ＩＩＩ
１４…回転台
１５…制御装置
１６…可移動基台
１７…理学療法士
１８…受訓者
１９…強制型アシスト端末（上肢用）
２０…操作指導端末
２１…ネットワーク
２２…上肢リハビリアシスト装置
２３…下肢リハビリアシスト装置
２４…上下肢運動模擬装置
２５…強制型アシスト端末（下肢用）
【図１】
2004008745.tif 000003
【図２】
2004008745.tif 000004
【図３】
2004008745.tif 000005
(57)【要約】【課題】使用済み注射針をピンセットやゴム手袋をした指先で摘まむことなく取り外せる、使用済み注射針の取り外し盤を提供する。【解決手段】（イ）弾性体の盤１の一部に、孔径が注射針６の最大外径部１４よりも小さい孔２を一つ以上設ける。（ロ）孔２に通じる切り込み３を一つ以上有する切り込み部４を設ける。（ハ）盤１の厚み５は、注射針６を注射器７の針装着部８に差し込んだときに生じる、注射針６の元部の端９と注射器７の針装着部８の元部１０の間隔１１よりも小さくする。（ニ）盤１の厚み５は、盤１全体に施しても、孔２の周囲の部分に施してもよい。以上のごとく構成された使用済み注射針の取り外し盤。【選択図】　図１
2004008747.tif 000002
【特許請求の範囲】
【請求項１】
（イ）弾性体の盤１の一部に、孔径が注射針６の最大外径部１４よりも小さい孔２を一つ以上設ける。
（ロ）孔２に通じる切り込み３を一つ以上有する切り込み部４を設ける。
（ハ）盤１の厚み５は、注射針６を注射器７の針装着部８に差し込んだときに生じる、注射針６の元部の端９と注射器７の針装着部８の元部１０の間隔１１よりも小さくする。
（ニ）盤１の厚み５は、盤１全体に施しても、孔２の周囲の部分に施してもよい。
以上のごとく構成された使用済み注射針の取り外し盤。
【発明の詳細な説明】
【０００１】
【発明の属する技術分野】
この発明は、使用済み注射針を容易に取り外すことができる盤に関するものである。
【０００２】
【従来の技術】
従来、使用済み注射針を処分する場合、注射針をピンセットやゴム手袋をした指先で摘まんで、注射器から引き抜いていた。そして、引き抜いた注射針をそのままの状態でゴミ箱などに入れ処分していた。
【０００３】
【発明が解決しようとする課題】
注射針をピンセットやゴム手袋をした指先で摘まんで、注射器から引き抜く場合、針が手などに刺さる心配があった。
また、引き抜いた注射針をそのままの状態でゴミ箱などに入れ処分しているが、このゴミ箱などに集められた注射針をまとめるときに、注射針が手などに刺さる心配があった。
使用済み注射針には、人体に悪影響を及ぼすウイルスや細菌が多く含まれることがある。注射器を常に使用する医者や看護婦、あるいは、使用済み注射針を処分するための業務に携わる人々は、この様な危険と常に隣り合わせであった。
本発明は、以上の危険性を少しでも解決するためになされたものである。
【０００４】
【課題を解決するための手段】
（イ）弾性体の盤１の一部に、孔径が注射針６の最大外径部１４よりも小さい孔２を一つ以上設ける。
（ロ）孔２に通じる切り込み３を一つ以上有する切り込み部４を設ける。
（ハ）盤１の厚み５は、注射針６を注射器７の針装着部８に差し込んだときに生じる、注射針６の元部の端９と注射器７の針装着部８の元部１０の間隔１１よりも小さくする。
（ニ）盤１の厚み５は、盤１全体に施しても、孔２の周囲の部分に施してもよい。
本発明は、以上のごとく構成された使用済み注射針の取り外し盤である。
【０００５】
【発明の実施の形態】
本発明は、前記のように構成になっているので、次のような手順で使用すれば良い。
手順１．盤１を容器１２の蓋にして使用するため、盤１を容器１２の開口部１３に密着させる。
手順２．注射器７に付いている使用済み注射針６の先を孔２に挿入する。（図６）
手順３．更に挿入を続けると、注射針６が切り込み部４に触れ始める。
手順４．更に挿入を続けると、注射針６が切り込み部４を押し始める。このとき、盤１は弾性体であるため、切り込み部４は容器１２の内部に向かって押し曲げられるが、切り込み部４は元の位置に戻ろうとする力は働いている。（図７）
手順５．更に挿入を続けると、切り込み部４の先端は、注射針６の最大外径部１４を通過して、注射器７の針装着部８に触れるようになる。
手順６．更に挿入を続けると、切り込み部４は針装着部８の元部１０に到達する。切り込み部４は、孔径が注射針６の最大外径部１４より小さく、厚み５が間隔１１よりも小さいため、注射針６の元部の端９と注射器７の針装着部８の元部１０の間に食い込むような状態になる。（図８）
手順７．注射器７を静かに傾ける。このとき、注射器７の端部が切り込み部４に接している部分は、注射器７を傾けることによって生じる切り込み部４を押す力が、切り込み部４の弾性力とわずかな時間つりあい支点の役目をし、一方、注射針６を針装着部８から外そうとする力もわずかな時間働く。注射器７の端部が切り込み部４に接していない部分は、切り込み部４自身の弾性力によって、注射針６を針装着部８から外そうとする。（図９）
手順８．前記の力によって、使用済み注射針６が注射器７の針装着部８から外れ、容器１２の内部に落ちる。
このようにして、注射器７から抜き取られた使用済み注射針６は、容器１２に完全に格納される。
【０００６】
【発明の効果】
本発明を使用することによって、次のような効果を生む。
盤１を容器１２の蓋に密着して使用すれば、注射針６をピンセットやゴム手袋をした指先で摘まんで、注射器７から引き抜くことはなくなるので、注射針６が手などに刺さる心配がなくなる。
【０００７】
また、引き抜いた注射針６は容器１２の中に格納されるので、容器１２ごとゴミ箱などに入れ処分すれば、取り外した注射針６がそのままの状態で集められる場合に比べ、注射針６が手などに刺さる心配がなくなる。
【０００８】
本発明は構造が極めて簡単なので、製造コストが低く抑えられる。
【図面の簡単な説明】
【図１】本発明の斜視図である。
【図２】本発明の断面図である。
【図３】注射針と注射器の説明図である。
【図４】本発明の実施例を示す斜視図である。
【図５】本発明の実施例を示す分解斜視図である。
【図６】
【図７】
【図８】
【図９】本発明の実施例を示す断面図である。
【符号の説明】
１　盤　　　　　　　　　　　　　　２　孔
３　切り込み　　　　　　　　　　　４　切り込み部
５　厚み　　　　　　　　　　　　　６　注射針
７　注射器　　　　　　　　　　　　８　針装着部
９　注射針の元部の端　　　　　　　１０　針装着部の元部
１１　間隔　　　　　　　　　　　　１２　容器
１３　開口部　　　　　　　　　　　１４　最大外径部
【図１】
2004008747.tif 000003
【図２】
2004008747.tif 000004
【図３】
2004008747.tif 000005
【図４】
2004008747.tif 000006
【図５】
2004008747.tif 000007
【図６】
2004008747.tif 000008
【図７】
2004008747.tif 000009
【図８】
2004008747.tif 000010
【図９】
2004008747.tif 000011
(57)【要約】【課題】周波数発信機及び発光ダイオード付き眼鏡めがねによる安心安眠器【解決手段】ＣＲ発信機における発光ダイオードの点滅による、脳波発生装置で安心安眠をそくする物で但し薬用者は効果が生せず使用不可。【選択図】　　図１
2004008722.tif 000002
【特許請求の範囲】
【請求項１】
ＭＯＳＩＣのＮＥＣの５５５５でＣＲ発信機を製作し、発信周波数１４Ｈｚに於いて発光ダイオードのＬＥＤを８個使し、ＥＩＬ５１−３Ｇ緑色　λ＝５２０ｎｍで眼鏡メガネによる視神経を刺激して１０分間位に於いて脳の視識後頭部より側頭部に伝達し脳波のスピンドルウエーブを促進させ精神を安定させるものによる、時差呆け防止安眠器である。
【発明の詳細な説明】
【０００１】
【発明の属する技術分野】
１４Ｈｚの周波数に於ける脳波のスピンドルウエーブの促進
【０００２】
【従来の技術】
眼鏡メガネに発光ダイオードを付けた物
【０００３】
【発明が解決しようとする課題】
発信機による安心安眠器
【０００４】
【課題を解決するための手段】
時差呆け防止に於ける安心案器
【発明の実施の形態】
ＣＲ発信機及び眼鏡メガネにつけたＬＥＤダイオード
【発明の効果】
暗所に於いて１０分間眼鏡メガネをかけて安心安眠効果を生ず
【図面の簡単な説明】
【図１】ＣＲ発信機の配線図
【図２】実製作図
【図１】
2004008722.tif 000003
【図２】
2004008722.tif 000004
(57)【要約】【課題】狭い所に落とした物や、手の届かない所に有る物を楽に挟み取ることの他に、普通の靴べらとして使用できるマジックハンド靴べらを提供する。【解決手段】中空の柄（６）と握り（９）を有した靴べら（１）の背面に、支持台（３）に組んだアーム（２）を設け、中空の柄（６）の端部に設けた指掛け（７）とアーム（２）をワイヤー（８）で連結し、指掛け（７）を指で引いてアーム（２）を開閉する。【選択図】　　　図１
2004008725.tif 000002
【特許請求の範囲】
【請求項１】
靴べら（１）の背面とアーム（２）で物を挟むことを特徴とするマジックハンド靴べら。
【発明の詳細な説明】
【０００１】
【発明の属する技術分野】
この発明は、手の届かないところの物を、挟み取ったり動かしたりすることができる以外に、靴べらにも使用できるマジックハンド靴べらに関するものである。
【０００２】
【従来の技術】
従来は、手の届かないところの物を挟み取ることのみのマジックハンドがある。
【０００３】
【発明が解決しようとする課題】
手の届かないところの物を挟み取ったり動かしたりすること以外に、靴べらとしても利用出来るようにすること。
【０００４】
【課題を解決するための手段】
中空の柄（６）と握り（９）を有した靴べら（１）の背面に、支持台（３）に組んだアーム（２）を設け、中空の柄（６）の端部に設けた指掛け（７）とアーム（２）をワイヤー（８）でを連結する。
本発明は、以上の構成よりなるマジックハンド靴べらである。
【０００５】
【発明の実施の形態】
以下、本発明の実施の形態を説明する。
（イ）靴べら（１）は、背面に支持台（３）を設け、Ｌ型リンク部を有するアー　　　ム（２）を、ピン（４）を支点として動くように組み付ける。
（ロ）中空の柄（６）は、端部に連結部を有する指掛け（７）を組み込み、ワイヤー（８）を中に通してアーム（２）と連結する。
（ハ）握り（９）は持ち易いように角度をつけて、中空の柄（６）側に溝（１０）を設け、指掛け（７）がスライドするように中空の柄（６）に取り付ける。
（ニ）アーム（２）に戻しばね（５）を設ける。
本発明は、以上の構成よりなっている。
本発明は、靴べら（１）とアーム（２）で物を挟むホルダーを形成しているので、これを使用するときは、握り部（９）を手で握り、人差し指で指掛け（７）を引けば連結ワイヤー（８）を介してアーム（２）を動かすことができる、アーム（２）は通常戻しばね（５）で靴べら（１）の背面から開くようにしてあるので、指掛け（７）を引いたり離したりでアーム（２）を開閉し、靴べら（１）の背面とアーム（２）で物を挟むことができる。
また、指掛け（７）を引かなければアーム（２）は靴べら（１）から離れているので普通の靴べらとして使用できる。
【０００６】
【発明の効果】
本発明は、家庭などで狭い所や手の届かないところなどにある物をとったり、身体の不自由な人が、落とした物を拾い上げるときに便利なほか、靴などの履き物も一足持ち上げることも出来るので、玄関などで手の届かないところに乱雑になっている履き物の引き寄せや、向きを替えて並べ替えたりの整頓が、身体をあまり曲げなくても楽にできる、そして靴を履くときは靴べらとして使えるので非常に便利である。以上のように、身体の不自由な人や一般の人でも便利に使うことができるので、一般家庭・旅館・集会所・車椅子生活などで便利である、また入院中のベット生活でもカーテンの開け閉めや上記のようないろいろなことが楽に出来るので役立つものである。このマジックハンド靴べらは全長を６０〜７５ｃｍぐらいのものを作っておき、身長や用途によって使い易いものを選べばよい。
【図面の簡単な説明】
【図１】本発明の要部側面図
【図２】本発明の背面図
【図３】本発明の正面図
【符号の説明】
１　靴べら
２　アーム
３　支持台
４　ピン
５　ばね
６　中空の柄
７　指掛け
８　ワイヤー
９　握り
１０　溝
【図１】
2004008725.tif 000003
【図２】
2004008725.tif 000004
【図３】
2004008725.tif 000005
(57)【要約】【課題】一つのれんげ又はスプーン状のものによってラーメン、うどん、そばなどのスープ又は汁だけを飲むことができ、どんぶりやお碗などの中の具材だけを食べることもできるので、箸で具材をつまんで食べるわずわらしさを解決する道具。【解決手段】れんげまたはスプーン状のものの素材となるものをれんげのようなの形にして二つ以上重ね、又はその素材の中間にもう一枚板状のものを入れる。二枚又は三枚以上の素材の上から適当に丸型、四角型、三角型、星型などの穴やスリット状の開口をあけ、一層の素材を前後左右に動かし、穴を開けたり、閉じたりできることを特徴とするものである。【選択図】　　図１ID=005004 HE=033 WI=070 LX=0000 LY=0000>
2004008730.tif 000002
【特許請求の範囲】
【請求項１】
れんげ又はスプーン状のものの底の部分に丸型、四角型、三角型、星型などの穴やスリット状の開口穴をあけそれをずらすことにより具材だけをすくうこともできるれんげ又はスプーン状のもの。
【発明の詳細な説明】
【０００１】
【発明の属する技術分野】
この発明はラーメン、うどん、そばなどの中の具材だけを掬うれんげまたはスプーン状のものに関するものである。
【０００２】
【従来の技術】
れんげ又はスプーン状のものでラーメン、うどん、そばなどの具材だけを掬うことが大変むずかしく、スープや汁も一緒に掬ってしまう。
【０００３】
【発明が解決しようとする課題】
これには次のような欠点があった。
イ　従来のれんげ又はスプーン状のものでラーメン、うどん、そば、などの具材だけを掬おうとすると、一緒にスープ又は汁も掬ってしまい、具材だけを食べたい時には大変不便であった。
ロ　穴あきれんげと言うものもあるが、スープだけを飲みたい時には穴からスープがこぼれてしまう可能性も有り、誰でも簡単には使えなかった。
【０００４】
【課題を解決するための手段】
れんげ又はスプーン状のものの素材となるものを二層又は三層以上の構造にし、全ての層に均一な丸型、四角型、三角型、星型などの穴やスリット状の開口穴をあけ、一層の素材を前後左右にずらすことによって丸型、四角型、三角型、星型などの穴やスリット状の開口穴が閉じたり、ひらいたりできる。
本発明は以上の構成からなる穴付きれんげである。
【０００５】
【本発明の実施の形態】
以下、本発明の実施の形態を説明する。
イ　れんげやスプーン状のものの素材となるものをれんげの形にして二つ以上重ねる。
ロ　三層構造ではイの素材の中間にもう一枚板状のものを入れる。
ハ　二枚又は三枚以上の素材の上から適当に丸型、四角型、三角型、星型などの穴やスリット状の開口穴をあける。
ニ　多層構造内の一層の素材が指で前後左右に動かせるように突起状のものが付いていて簡単に動かすことができる工夫がしてある。
本発明は、以上のような構成からなっている。
本発明を使用する時はスープ又は、汁を飲みたい時は一層の素材を前後左右にずらして、丸型、四角型、三角型、星型などの穴やスリット状の開口がふさがるように調節し、スープ又は汁を飲まずに中の具材のみを食べたい時は一層の素材をずらし、丸型、四角型、三角型、星型などの穴やスリット状の開口があくように調節し使うと具材だけを食べることができる。
【０００６】
一つのれんげ又はスプーン状のものによってスープ又は汁だけを飲むことができ、どんぶりやお碗などの中の具材だけを食べることもできるので、箸で具材をつまんで食べるわずわらしさを解決する。また、丸型、四角型、三角型、星型などの穴やスリット状の開口が完全に塞がるので、スープ又は汁をこぼす心配なくスープ又は汁だけを飲むことができる。
【図面の簡単な説明】
【図１】本発明の斜視図である。
【図２】本発明の分解斜視図である。
【符号の説明】
１開口
２開口をずらす突起
【図１】
2004008730.tif 000003
【図２】
2004008730.tif 000004
(57)【要約】【課題】この発明は、コーヒーの豆（粉）をぬいぐるみの内部に入れ、脱臭効果を目的としたぬいぐるみに関するものである。【解決手段】ぬいぐるみの内部にコーヒー豆（粉）を収納する袋部を設ける。【選択図】　図１
2004008729.tif 000002
【特許請求の範囲】
【請求項１】
本体部分の内面部に、コーヒーの豆（粉）を収納する袋部を設け、コーヒーの豆（粉）を保管するぬいぐるみ。
【発明の詳細な説明】
【０００１】
【発明の属する技術分野】この発明は、コーヒーの豆（粉）をぬいぐるみの内部に保管することにより、コーヒーの豆（粉）が持っている脱臭効果を目的としたコーヒーの豆（粉）を収納するぬいぐるみに関するものである。
【０００２】
【従来の技術】従来は、雑貨を扱う店舗などでぬいぐるみとして販売されている。また、アクセサリーやキーホルダーとして使われている。
【０００３】
【発明が解決しようとする課題】本発明は従来のぬいぐるみの欠点を解決するために成されたものであり、コーヒーの豆（粉）の持つ脱臭効果を取り入れ、有効利用できるよう目的としたものとする。
【０００４】
【課題を解決するための手段】上記課題を解決するため、本発明はぬいぐるみの内部に袋部を設け、その中にコーヒーの豆（粉）を保管する。また、コーヒーの豆（粉）を収納する部分を設ける。
【０００５】
【発明の実施の形態】コーヒーの豆（粉）を袋部に入れて、ぬいぐるみの内部に入れる。また、ぬいぐるみにはコーヒー豆（粉）を収納できるよう開閉部を設ける。開閉部には、公知の適宜の技術を利用する。例えば、ファスナーやマジックテープを使用する。
【０００６】
【発明の効果】コーヒーの豆（粉）をぬいぐるみに入れることによって脱臭効果が得られ、美観性も優れたデザインを形成する。
【図面の簡単な説明】
【図１】本発明の一部透視図
【図２】本発明の斜視図
【図３】本発明の一部透視図
【符号の説明】
１本体
２コーヒー豆（粉）
３開閉部（ファスナー）
【図１】
2004008729.tif 000003
【図２】
2004008729.tif 000004
【図３】
2004008729.tif 000005
(57)【要約】　　　（修正有）【課題】傘の構成部分である傘の骨組みと布地を別々に製造・販売・購入する方法の傘を提供する。【解決手段】傘の骨組みと布地をはめ込み・引っかけ式の留め金具をつけ、簡単に取り付け取り外しができるのが特徴とする。【選択図】図２
2004008726.tif 000002
【特許請求の範囲】
【請求項１】
図２・図３のような簡単に取り付け取り外しができる留め金具を付けた傘を骨組みと布地に分け、骨組みは骨組みとして製造・販売・購入し、布地は布地として製造しＴシャツのように袋等に入れ販売・購入する方法の傘である。
【発明の詳細な説明】
【０００１】［発明の属する技術分野］
この発明は、傘の構成部分である傘の骨組みと布地を別々に製造・販売・購入する方法の傘である。
【０００２】［従来の技術］
従来、傘は一体の物として製造・販売・購入されていた。
【０００３】［発明が解決しようとする課題］
この発明は、気に入らなくなったら捨てる、外出先で忘れる・盗難にあう、雨の日行く先々や自宅で雨水の処理に困る、売れない傘で在庫がたまる、ということを解決しようとするものである。
【０００４】［課題を解決するための手段］
いまこれを図面で説明すれば、現在の傘はＡ・Ｂ部を色々な方法の固定式の留め金具で留めてあります。
それを、図２・図３のようなはめ込み・引っかけ式にすれば簡単に取り付け取り外しができます。
【０００５】［発明の実施の形態］
傘の構造は、ほとんど全てが傘を開いた時布地をひっぱり伸ばすという機能とＢ部とＣ部の間は曲がる機能をもっております。
そうであれば図２・図３のはめ込み・引っかけ式でも布地はひっぱり伸ばされるので頑丈に留め金具同士で食い込みあい、風の強い日にも安全である。
また、Ｂ部とＣ部の間が曲がるのでＢ部の留め金具が装着しやすい。
はめ込み・引っかけ式なので傘をどういう状態においても布地ははずれない。
もっと安定させたいならＣ部又はＡ部からＢ部の間に任意に磁石を傘の縫い目に縫いこめばよい。そのことで取り付け取り外しがしやすくなる。
傘のサイズ等の製作基準を決めれば全ての種類の傘に適用出来る。
【０００６】［発明の効果］
１）気に入らなくなったり、古くなったりしたら布地の部分だけ変えればよい。
２）気に入っている布地だったら外出先で忘れない。
３）雨の日の外出先で、布地を取り外したたんで袋に入れて雨水の心配がないようにして傘の骨組みと一緒に手元に置くと盗難防止になる。
４）自宅の玄関等が傘の雨水でびしょ濡れになるので外に傘立てを置いて水処理のため傘をいれますが、雨の降りが激しい時は傘の内側に雨水が溜まっています。そこでこの傘は取り外しが出来るので布地を取り外して風呂場や物干し場に洗濯バサミ等で留めて干し、傘の骨組みは家の中の傘立てにいれる。
５）骨組みは不燃物、布地は可燃物なので分けて出せる。またリサイクルもしやすい。
６）客は好きな骨組みと布地を選べる。また布地だけ買えるので何種類もの柄の布地を持つ事ができ、特に日傘は服装に合わせて毎日替えることができる。
７）製作業者は骨組みは確実に売れる数だけ製造し、布地は客の好み・流行に合わせて柄を替えながら製造・販売するため在庫管理がしやすくなる。
８）製作工程で傘の骨組みと布地の組みつけ作業がなくなるのでコストダウンができ、布地はオーダーメイドも出来るようにすれば高く売れる。
【図面の簡単な説明】
図面の中の図２・図３の留め金具は基本的な物であり、値段の高低により、形状が変ります。
【図１】
2004008726.tif 000003
【図２】
2004008726.tif 000004
【図３】
2004008726.tif 000005
【手続補正書】
【提出日】平成14年8月2日(2002.8.2)
【手続補正１】
【補正対象書類名】明細書
【補正対象項目名】図面の簡単な説明
【補正方法】変更
【補正の内容】
【図面の簡単な説明】
【図１】傘を開いた状態での断面図である。
【図２】傘上部（Ａ部）の留め金具の立体図・断面図である。
【図３】傘端部（Ｂ部）の留め金具の立体図である。
【符号の説明】
Ａ部　傘の上部
Ｂ部　傘の端部
Ｃ部　傘の中間部
(57)【要約】【課題】人体の固く凝った部位に作用する磁気治療器の効果の程度は人により様々である。【解決手段】永久磁石のそばにコンデンサのような蓄電素子を配置することで、磁気治療器の効果を向上させる。【選択図】　図１
2004008773.tif 000002
【特許請求の範囲】
【請求項１】
肩こりや腰痛に使用する永久磁石を用いた磁気治療器において永久磁石にコンデンサのような蓄電素子が組み合わされていることを特徴とする磁気治療器
【発明の詳細な説明】
【０００１】
【発明の属する技術分野】
【０００２】
この発明は、磁気治療器に関する。
【従来の技術】
【０００３】
一般に、市販されている磁気治療器は粘着性の物質に永久磁石を貼り付けたものや、帯で人体に結ぶものあるいはネックレス状、腕輪状のものが市販されており、従来品は図２に示すように構成されており、符号１は永久磁石、２は粘着性のテープである。
【発明が解決しようとする課題】
【０００４】
上記のような従来の磁気治療器は、人体の固く凝った部位に磁力が作用し血行を促進する機能を備えていると解説されている。
しかし効果の程度は人により様々である。この発明は、人体の固く凝った部位に磁力が作用し、全ての人が治療効果を確認できることを目的とする。
【課題を解決するための手段】
【０００５】
この発明は人体の凝りをほぐす磁気治療器において、永久磁石とコンデンサのような蓄電素子を組み合すことで製造されている磁気治療器である。
【発明の実施の形態】
【０００６】
この発明によれば、人体の凝った部位に磁気が作用し、凝った部分から取り出された電気がコンデンサのような蓄電素子に蓄電されることで、再び電気が人体に戻ることがなく、効果的に凝りをほぐすことができる。
【実施例】
【０００７】
以下、図面を参照して、この発明の一実施例を詳細に説明する。
この発明による磁気治療器は、第１図に示すように構成され、従来例（第２図）と同一箇所には同一符号を付すことにする。
即ち、主として永久磁石の近辺にコンデンサが配置され、粘着性のテープなどにより人体に貼り付ける。このコンデンサには人体の凝った部分から取り出された電気が蓄電されるため、効果的に磁気治療を行うことができる。これは、電気、磁気の直交性（アンペールの法則の逆）を応用したものである。
【発明の効果】
【０００８】
この発明によれば、安価で治療効果の高い磁気治療器を提供することができる。
【図面の簡単な説明】
【図１】発明の一実施例による磁気治療器の外観図（斜視図）である。
【図２】従来技術による磁気治療器の外観図（斜視図）である。
【符号の説明】
１・・・永久磁石、２・・・コンデンサ、３・・・粘着性テープ
【図１】
2004008773.tif 000003
【図２】
2004008773.tif 000004